(57)【特許請求の範囲】
【請求項１】
原稿固有のプレスキャン情報を基にして本スキャンにより画像を記録する画像記録方法であって、ブックものなどの綴じられた原稿の画像記録モードの選択下において、一枚目の原稿固有の情報をプレスキャンによってメモリーし、このプレスキャン情報に基づいて一枚目の原稿を本スキャンして画像を記録すると共に、この本スキャン時における原稿固有の情報を次の原稿のプレスキャン情報としてメモリーし、爾後は、本スキャン毎の原稿固有の情報を次の原稿のプレスキャン情報としてメモリーして、このプレスキャン情報に基づいて画像を記録することを特徴とする画像記録方法。
【請求項２】
上記のプレスキャン情報を基にして原稿の走査方向における基準位置から見開き中央位置までの寸法を検出し、この寸法と画像記録対象用紙の半分の寸法との偏差とを検出し、この偏差に相当するタイムラグをもって画像の記録を開始することを特徴とする請求項１に記載された画像記録方法。
【請求項３】
原稿固有のプレスキャン情報を基にして原稿の画像を記録する画像記録装置であって、ブックものなどの綴じられた原稿の画像記録モードの選択手段と、プレスキャンによる一枚目の原稿固有のプレスキャン情報に基づいて本スキャンにより原稿を記録する第１の画像記録手段と、この本スキャン時における原稿固有の情報と爾後の本スキャン毎の画像記録時における原稿固有の情報とを、それぞれ次の原稿のプレスキャン情報としてメモリーするメモリー手段と、このメモリー手段からのプレスキャン情報に基づいて二枚目以降の原稿を記録する第２の画像記録手段とを備えて成ることを特徴とする画像記録装置。
【請求項４】
上記のプレスキャン情報を基にして原稿の走査方向における基準位置から見開き中央位置までの寸法を検出する手段と、この手段による検出寸法と画像記録対象用紙の半分の寸法との偏差を検出する手段と、この偏差に相当するタイムラグをもって画像の記録を開始させる画像記録開始手段とを備えて成る請求項３記載の画像記録装置。
【発明の詳細な説明】
【０００１】
【産業上の利用分野】
本発明は、原稿固有のプレスキャン情報を基にして本スキャンにより画像を記録する画像記録方法、ならびにその方法を実施して画像を記録する画像記録装置に関するものである。
【０００２】
【従来の技術】
画像読み取り手段による正規の画像読み取り前に原稿をプレスキャンし、コンタクトガラスに対する原稿の載置位置や原稿サイズ、原稿の平均的な画像の濃淡など、原稿固有の情報を得て、例えば、原稿の位置ずれ情報を基にして画像記録対象用紙の所定位置に位置修正して画像を記録したり、原稿サイズの検出情報と画像記録対象用紙のサイズ検知情報とを基にして、原稿の画像を自動的に拡大または縮小させて画像記録対象用紙に画像を記録したり、或いは、原稿の平均的な画像の濃淡情報を基にして記録画像の濃度を自動設定したりしている。
【０００３】
このプレスキャンは、シート原稿を交換する度に、或いは、ブックものなどの綴じられた原稿（以下、必要に応じてブック原稿という。）の見開きのページを変更する度に、その都度、１回行われるのが通常であるが、シート原稿の自動給紙装置を備えるものにおいては、自動給紙モードを選択した際に、一枚目の原稿に対してのプレスキャン情報を二枚目以降の原稿にも適用して、画像記録の速度アップを図るようにしている。
【０００４】
【発明が解決しようとする課題】
ところで、ブック原稿の画像記録に際して、その画像記録の速度アップを図るために、ブック原稿の画像記録モードの選択下において、一枚目の原稿固有の情報をプレスキャンによってメモリーし、このプレスキャン情報に基づいて二枚目以降の原稿の画像を記録することを試みたのであるが、次に記する不都合な事態が生じのである。
【０００５】
即ち、ブック原稿の見開き二面を画像記録の対象とする際には、その見開き二面の原稿中央位置を画像記録対象用紙の中央位置に一致させる記録が望まれることは言うまでもなく、この場合は、一枚目のブック原稿の見開き二面をプレスキャンして、その原稿の走査方向における基準位置から中央位置までの寸法情報をメモリーし、この情報による原稿中央位置と画像記録対象用紙の中央位置との偏差を検出して、この偏差に相当するタイムラグをもって画像の記録を開始すればよいのである。
尚、上記の偏差は、原稿幅と用紙幅の寸法差の１／２であり、用紙幅が原稿幅よりも大なるときは、用紙の給紙開始にマイナスのタイムラグをもって、即ち、用紙の給紙開始に遅れて画像の記録を開始させ、原稿幅が用紙幅よりも大なるときは、用紙の給紙開始にプラスのタイムラグをもって、即ち、用紙の給紙開始に先んじて画像の記録を開始させるのである。
【０００６】
ところで、ブック原稿が比較的厚手である場合は、図５に示すように、例えば連続したページを記録するに伴って、記録開始の時点と終了の時点では、基準位置ｅから見開き中央位置ｃまでの寸法Ｌ１…Ｌｎが異なることから、画像の記録が進むに連れて僅かずつ原稿中央の位置ずれが生じてしまい、画像が記録された用紙を半分に折った際に、この用紙に記録された画像の見開き中央と折り目とが合わなくなって、この用紙をブックものに綴じた際の見栄えが悪くなる事態が生じたのである。
【０００７】
この他に、ブック原稿の画像記録に際しては、見開きページの中央部が浮き上がって露光の漏れを生じ、この部分の画像が薄黒く記録されて見栄えが悪くなることから、この部分の画像が記録されていない白紙部分をマスキングする画像処理の形態がとられることがある。
【０００８】
この場合、一枚目の原稿をプレスキャンして見開き中央の位置情報をメモリーし、この情報を基にして見開き中央の或る範囲にわたる白紙部分をマスキングする処理形態をとればよいのであるが、上記したように、見開きのページによっては原稿の見開き中央の位置が異なることから、画像の記録が進むに連れて実質的にマスキングの位置ずれが生じ、原稿の画像をマスキングしてしまう不都合な事態が生じたのである。
【０００９】
或いは、ブック原稿のサイズが画像記録対象の用紙サイズよりも小さいと、この用紙の周囲に黒ベタが記録されて見栄えが悪くなることからも、この部分をマスキングする画像処理の形態がとられることがある。
この際には、一枚目の原稿のプレスキャンによって原稿のサイズ情報をメモリーし、この情報を基にして原稿周辺部をマスキングすればよいのであるが、上記したように、見開きのページによって中央位置が異なることは即ち、原稿サイズの変化にも繋がることから、画像記録の進行に伴って画像を不必要にマスキングしたり、逆にマスキング不足になったりする不都合な事態が生じたのである。
【００１０】
これら以外に、原稿の平均的な画像の濃淡情報に基づいて記録画像の濃度を自動設定する際にも問題が生じたのである。
即ち、例えば用紙が或るページにわたって着色されているブック原稿を画像記録の対象にして、そのブック原稿の非着色のページから着色のページにわたる複数枚の画像を記録するような場合において、一枚目の原稿の平均的な画像の濃淡情報をプレスキャンによってメモリーし、爾後は、この情報に基づいて非着色のページから着色のページにわたって複数枚の画像を記録すると、非着色の原稿の濃度情報を基にして着色ページの画像が記録されるために、この着色ページの画像が全て濃くなってしまい、或いは逆に、着色のページから非着色のページにわたる画像の記録に際しては非着色ページの画像が全て薄くなってしまい、このため、記録不良になった用紙の全てを廃棄せざるを得ない不経済な事態が生じたのである。
【００１１】
本発明は、上記の不都合な事態を解消できるに至った画像記録方法と、その方法を実施する上で好適な画像記録装置を提供することを目的としている。
【００１２】
【課題を解決するための手段】
上記の目的を達成するに至った第１の発明による画像記録方法は、原稿固有のプレスキャン情報を基にして本スキャンにより画像を記録する画像記録方法であって、ブックものなどの綴じられた原稿の画像記録モードの選択下において、一枚目の原稿固有の情報をプレスキャンによってメモリーし、このプレスキャン情報に基づいて一枚目の原稿を本スキャンして画像を記録すると共に、この本スキャン時における原稿固有の情報を次の原稿のプレスキャン情報としてメモリーし、爾後は、本スキャン毎の原稿固有の情報を次の原稿のプレスキャン情報としてメモリーして、このプレスキャン情報に基づいて画像を記録することを特徴としている。
【００１３】
第２の発明による画像記録方法では、上記のプレスキャン情報を基にして原稿の走査方向における基準位置から見開き中央位置までの寸法を検出し、この寸法と画像記録対象用紙の半分の寸法との偏差とを検出し、この偏差に相当するタイムラグをもって画像の記録を開始することを特徴としている。
【００１４】
第３の発明による画像記録装置は、原稿固有のプレスキャン情報を基にして原稿の画像を記録するものであって、ブックものなどの綴じられた原稿の画像記録モードの選択手段と、プレスキャンによる一枚目の原稿固有のプレスキャン情報に基づいて本スキャンにより原稿を記録する第１の画像記録手段と、この本スキャン時における原稿固有の情報と爾後の本スキャン毎の画像記録時における原稿固有の情報とを、それぞれ次の原稿のプレスキャン情報としてメモリーするメモリー手段と、このメモリー手段からのプレスキャン情報に基づいて二枚目以降の原稿を記録する第２の画像記録手段とを備えて成る点に特徴がある。
【００１５】
第４の発明による画像記録装置においては、上記のプレスキャン情報を基にして原稿の走査方向における基準位置から見開き中央位置までの寸法を検出する手段と、この手段による検出寸法と画像記録対象用紙の半分の寸法との偏差を検出する手段と、この偏差に相当するタイムラグをもって画像の記録を開始させる画像記録開始手段とを備えて成る点に特徴がある。
【００１６】
【作用】
第１発明の画像記録方法によれば、一枚目の原稿固有のプレスキャン情報に基づいて一枚目の原稿を本スキャンし、爾後は、前回の本スキャン情報をプレスキャン情報にして、この情報に基づいて本スキャンにより画像を記録することで、上記した数々の不都合を伴わせない画像記録が達成される。
【００１７】
即ち、前回の本スキャンによる情報を基にして画像記録を行わせるので、上記した一枚目の原稿に対してのプレスキャン情報を二枚目以降の原稿にも適用する画像記録の形態と同じように、画像記録の速度アップを図ることができることは勿論である
【００１８】
これに加えて、前回に画像記録された一枚目の原稿と今回画像が記録される二枚目の原稿とでは、その原稿固有の情報が殆ど変わらない点に着目して、常に前回の本スキャン情報を基にして画像記録を行わせるようにしているので、ブック原稿の例えば見開き中央や原稿周辺部をマスキングするにしても、そのマスキングの位置ずれは殆ど生じず、或いは、見開きページの中央位置を互いに一致させる記録も容易に達成される。
【００１９】
また、例えば用紙が或るページにわたって着色されているブック原稿を画像記録の対象にして、それの非着色のページから着色のページ（或いはその逆）にわたる複数枚の画像を記録するような場合において、その記録画像の濃度を自動設定するに際しても、常に前回の本スキャン情報を基にして画像記録を行わせるので、その複数枚の着色ページ（または非着色のページ）の記録に移行する際の最初に記録される原稿については、これの記録画像の濃度が濃く（または薄く）なるものの、これを除いては全て所定の濃度で画像記録が達成されるもので、経済性を向上させることができる。
【００２０】
第２発明の画像記録方法によれば、ブック原稿の見開き中央位置を画像記録対象の用紙中央に一致させることが容易に可能であって、用紙を半分に折った際に、その折り目に画像の見開き中央を合わせることができることから、その用紙をブックものに綴じた際の見栄えがアップする。
第３および第４発明によれば、上記の方法を実施して適正な画像記録を成し得る画像記録装置が提供される。
【００２１】
【実施例】
以下、本発明の実施例を図面に基づいて説明する。図１は画像記録装置の一例のデジタル複写機を示し、図中の１はコンタクトガラス２に沿って往復移動する光学系移動式の露光装置で、光源３と第１ミラー４とを備えた第１移動枠５を、第２及び第３ミラー６，７を備えた第２移動枠８に対して、２倍の速度で往復移動可能に設けて成る。
【００２２】
９は画像変倍機構で、ズームレンズ１０と、ラック・ピニオンによる倍率変更手段１１と、ピント合わせ手段１２とを備えている。
１３は例えばＣＣＤ形撮像素子による画像読み取り手段で、コンタクトガラス２上の原稿Ｇの画像を走査方向Ｐにおいて複数のライン単位で読み取って、そのアナログの画像データをデジタルの画像データに変換する機能を有する。
１４は画像データ処理手段で、種々のデータ処理を行い、このデータを画像形成装置１５の画像形成手段１６に出力する。この画像形成手段１６からは画像データに応じたレーザ光が出力される。
【００２３】
上記の画像形成装置１５は、画像形成手段１６からのレーザ光を固定ミラー１７に入射させるポリゴンミラー１８と、上記のレーザ光による画像データに基づいた潜像画像を形成する感光体１９と、この潜像画像をトナーによって顕像化させる現像装置２０と、トナー像を画像記録対象の用紙２１に転写させる転写装置２２とから成る。
【００２４】
図２示すように、上記の画像データ処理手段１４は、画像形成装置１５を含んでのことであるが、モード選択手段２３によるブック原稿の画像記録モードの選択下において、プレスキャンによる一枚目の原稿固有のプレスキャン情報をメモリーする第１のメモリー手段２４と、プレスキャン情報を基にして本スキャンにより原稿を記録する第１の画像記録手段２５と、この本スキャン時における原稿固有の情報と爾後の本スキャン毎の画像記録時における原稿固有の情報とを、それぞれ次の原稿のプレスキャン情報としてメモリーする第２のメモリー手段２６と、このメモリー手段２６からのプレスキャン情報に基づいて二枚目以降の原稿を記録する第２の画像記録手段２７とを有する。
【００２５】
即ち、ブック原稿のモード選択キー２３によるブック原稿の画像記録モード下でプリントキーが操作（Ｓ１）されると、一枚目の原稿がプレスキャン（Ｓ２）されて、その原稿固有の情報が第１メモリー手段２４にメモリー（Ｓ３）され、かつ、このプレスキャン情報の読み出し（Ｓ４）を基にして本スキャン（Ｓ５）により原稿が記録される同時に、この本スキャン時における原稿固有の情報が次の原稿のプレスキャン情報として、第２メモリー手段２６にメモリー（Ｓ６）される。
【００２６】
以後は、ブック原稿の見開きページを変更してプリントキーを操作（Ｓ１）することを繰り返し、二枚目以降の原稿の記録を行うのであるが、この二枚目以降の画像記録に際しては、第２のメモリー手段２６によってメモリー（Ｓ６）された前回の画像記録情報を基にして原稿が記録される。
つまり、前回の本スキャンによる原稿固有の情報をプレスキャン情報として読み出し（Ｓ４）、このプレスキャン情報に基づいて本スキャン（Ｓ５）により二枚目以降の原稿が記録されるのである。
【００２７】
尚、ブック原稿の画像記録モードを選択したにも拘らず、所定時間内に一回もプリントが成されなかったり、或いは、プリントが成されても、その後、所定時間内にプリントが成されなかったりした場合に、自動的にブック原稿の画像記録モードを解除させるようにしている。
【００２８】
即ち、図３に示すように、ブック原稿のモード選択キー（１回目の押し操作でブック原稿の画像記録モードが選択され、後述するように、再度の押し操作でブック原稿の画像記録モードが解除される。）２３を操作（Ｓ８）すると、設定時間Ｔ１の経過を検知してブック原稿の画像記録モードを解除させるタイマーｔ１と、設定時間Ｔ２内にプリントキーがＯＮされなかったことを検知してブック原稿の画像記録モードを解除させるタイマーｔ２とを、それぞれスタート（Ｓ９）させるようにしている。
【００２９】
その後、モード選択キー２３を再度押し操作（Ｓ１０）するか、または、設定時間Ｔ１を経過してもプリントキーがＯＮされない（Ｓ１１）ことをタイマーｔ１が検知すると、或いは、設定時間Ｔ２内にプリントキーがＯＮされない（Ｓ１２）ことをタイマーｔ２が検知すると、ブック原稿の画像記録モードを解除（Ｓ１３）させるようにし、そして、設定時間Ｔ２内にプリントキーがＯＮされた場合（Ｓ１４）には、タイマーｔ２をリセット（Ｓ１５）させるようにしているのである。
【００３０】
上記の本スキャン（Ｓ５）時におけるデータ処理（Ｓ７）としては、例えばブック原稿Ｇの平均的な画像の濃淡情報を基にしての自動の濃度設定や、図４に示すように、ブック原稿Ｇの例えば見開き中央や原稿周辺部のマスキング処理ａ，ｂであり、かゝるデータ処理に際して、常に前回の本スキャン情報を基にして画像記録を行わせるようにしているので、従って、前回に画像記録された原稿と今回画像が記録される原稿とでは、その原稿固有の情報が殆ど変わらないことから、濃度の自動設定やマスキング処理が容易に達成される。
【００３１】
この他に、ブック原稿Ｇの見開きページの中央位置ｃを互いに一致させるデータ処理や、これに加えて原稿Ｇの見開き中央位置ｃを画像記録対象用紙２１の中央位置ｄに一致させるデータ処理も容易に行わせることができる。
この処理のために、例えば、ガラス面から画像面までの距離を画像読み取りライン単位で検出する距離検出手段２８を第１移動枠５に設けて、これからの最大の距離検出結果を基にして、図５に示すように、走査方向におけるブック原稿Ｇの基準位置ｅから見開き中央位置ｃまでの寸法Ｌ１…Ｌｎを検出させるようにする。
【００３２】
この寸法検出は、一枚目の原稿に対するプレスキャン時と、爾後の本スキャン時の情報をプレスキャン情報としてメモリーする際のスキャン時との全てについて行うもので、この寸法検出の情報もプレスキャン情報として扱うことは言うまでもない。
【００３３】
そして、上記の距離検出手段（即ち、原稿の基準位置ｅから見開き中央位置ｃまでの寸法検出手段）２８による寸法検出結果と、用紙選択スイッチ２９によって選択された画像記録対象用紙２１の半分の寸法Ｌとを基にして、用紙中央位置ｄと原稿中央位置ｃとの偏差ΔＴを検出する手段３０を設けると共に、上記の偏差ΔＴに相当するタイムラグをもって画像の記録を開始させる画像記録開始手段３１を備えさせるのである。
【００３４】
かゝる構成によれば、一枚目の原稿Ｇ１に対するプレスキャン情報を基にしての画像記録に際しては、図６に示すように、偏差ΔＴ（Ｌ−Ｌ１）に相当するタイムラグをもって画像の記録が開始されるので、原稿Ｇ１の見開き中央位置ｃを画像記録対象用紙２１の中央位置ｄに一致させる画像記録が行われる。
【００３５】
ここで、ブック原稿にあっては、図５に示したように、見開きのページによっては、基準位置ｅから見開き中央位置ｃまでの寸法Ｌ１…Ｌｎが異なることは既述した通りであり、従って、ブック原稿Ｇの例えば連続したページの画像を記録する際にページを捲ると、図６に示すように、二枚目の原稿Ｇ２の見開き中央位置ｃまでの寸法Ｌ２は、一枚目の原稿の見開き中央位置ｃまでの寸法Ｌ１に対して僅かな差Δｔの分だけ長くなる。
【００３６】
この差Δｔは極めて僅かであはあるが、それが累積すると、最終的には見開き中央位置ｃが用紙２１の中央位置ｄから大きく位置ずれすることになる。
しかし、上記の制御形態によれば、二枚目の原稿Ｇ２については、一枚目の原稿Ｇ１に対する本スキャン情報をプレスキャン情報にし、偏差ΔＴ（Ｌ−Ｌ１）に相当するタイムラグをもって画像の記録が行われるので、見開き中央位置ｃが用紙２１の中央位置ｄに対して差Δｔ分だけ位置ずれするが、三枚目以降の原稿Ｇ３については、二枚目の画像中央位置ｃに位置合わせした画像記録が達成される。
【００３７】
即ち、三枚目の原稿Ｇ３については、それの基準位置ｅから見開き中央位置ｃまでの寸法Ｌ３がＬ２＋Δｔ（即ちＬ１＋２Δｔ）となるものの、この三枚目の原稿Ｇ３の画像記録は、二枚目の原稿Ｇ２に対する本スキャンの情報をプレスキャン情報にして、二枚目の原稿Ｇ２の見開き中央位置ｃまでの寸法Ｌ２（即ちＬ１＋Δｔ）と用紙半分の寸法Ｌとの偏差ΔＴ＝Ｌ−（Ｌ１＋Δｔ）に相当するタイムラグをもって画像の記録が行われるので、この原稿の見開き中央位置ｃを二枚目の原稿Ｇ２の見開き中央位置ｃに一致させることができるのであり、四枚目以降の原稿についても同様であって、殆ど零に近い差Δｔで見開き中央位置ｃを用紙中央位置ｄに位置合わせできることから、この用紙２１をブックものに綴じた際の見栄えをアップさせることができるのである。
【００３８】
上記の位置合わせ制御は、差Δｔがプラス側に移行する際についてのことであるが、差Δｔがマイナス側に移行する時には、上記の偏差ΔＴに差Δｔを加算した偏差寸法に相当するタイムラグをもって画像の記録が開始されることは言うまでもなく、また、上記の差Δｔがプラス側（またはマイナス側）からマイナス側（またはプラス側）に切り換わる時には、差Δｔの加減算が途中で切り換わることも言うまでもない。
【００３９】
上記のデータ処理の他にも、ブック原稿の見開きページの各面を画像記録の対象にして、一回のプリントキー操作によって各ページの画像を順次、画像記録対象用紙に記録させる所謂ページ連写に際しても、各ページの原稿中央位置を画像記録対象用紙の中央位置に一致させるデータ処理も可能である。
【００４０】
この処理に際しては、一枚目のブック原稿の見開き二面をプレスキャンして、この原稿の見開き中央位置までの寸法を基にして、各ページ原稿の走査方向における基準位置から中央位置までの二つの寸法情報をメモリーし、一方の基準位置側のページ原稿の画像記録に際しては、その原稿の中央位置と画像記録対象用紙の中央位置との偏差を基にして、この偏差に相当するタイムラグをもって画像の記録を開始させ、他方のページ原稿の画像記録に際しては、各ページ原稿の中央位置間の寸法と、これに上記の偏差を加味したタイムラグをもって、画像の記録を開始させるのであって、かゝる画像記録を常に前回の本スキャン情報を基にして行わせることで、各ページ原稿の中央位置を画像記録対象用紙の中央位置に一致させることができるのである。
【００４１】
【発明の効果】
以上説明したように本発明は、ブック原稿の画像記録に際して、前回に画像記録された原稿と今回画像が記録される原稿とでは、その原稿固有の情報が殆ど変わらない点に着目して成されたものであって、第１発明による画像記録方法によれば、一枚目の原稿に対するプレスキャン以外は、常に前回の本スキャン情報をプレスキャン情報にして、この情報を基にして画像記録を行わせるようにしたことで、画像記録の速度アップを図りながら、ブック原稿の例えば見開き中央や原稿周辺部をマスキングする際の位置ずれを生じさせないようにしたり、或いは、見開きページの中央位置を互いに一致させる画像記録や、着色されたページを含むブック原稿を対象にしての自動の濃度設定などの制御が適正に達成される。
【００４２】
加えて、第２発明の画像記録方法によれば、原稿の見開き中央位置を画像記録対象用紙の中央位置に一致させることが容易に達成されるのであり、勿論、見開きの各ページの原稿中央位置を画像記録対象用紙の中央位置に一致させる所謂ページ連写の画像記録も容易に可能である。
そして、第３及び第４の発明によれば、上記の方法を実施しての適正な画像記録を成し得る画像記録装置が提供されるのである。
【図面の簡単な説明】
【図１】画像形成装置の一例のデジタル複写機の形態図である。
【図２】画像記録のフローチャートである。
【図３】ブック原稿の画像記録モードを自動解除させるフローチャートである。
【図４】原稿の見開き中央位置と用紙の中央位置との位置合わせ説明図である。
【図５】原稿の見開き中央位置の変化状態を示す説明図である。
【図６】原稿の見開き中央位置と用紙の中央位置との位置合わせ制御図である。
【符号の説明】
２３…原稿の画像記録モードの選択手段、２５…第１の画像記録手段、２６…メモリー手段、２７…第２の画像記録手段、２８…原稿の見開き中央位置までの寸法検出手段、３０…偏差検出手段、３１…画像記録開始手段、Ｇ…原稿、Ｌ１……Ｌｎ，Ｌ…寸法、Ｐ…走査方向。
【図１】
0003540857.tif 000002
【図２】
0003540857.tif 000003
【図３】
0003540857.tif 000004
【図４】
0003540857.tif 000005
【図５】
0003540857.tif 000006
【図６】
0003540857.tif 000007